(57)【要約】      （修正有）【課題】従来の技術による諸問題を解決するため、電力消費を節約できる両面表示のフラットパネル表示器を提供する。【解決手段】フラットパネル表示器は、第一基板５０２と第二基板５０６との間にはさまれる液晶層５０４と、第二基板に設けられて液晶層の液晶分子の回転を制御するドライブアレイ５０６２と、第一基板に設けられてフラットパネル表示器の第一面に第一画像を、第二面に第二画像表示するための光線を提供する光源５０８と導光板５０２２を含む光源モジュールとを含む。【選択図】図１５
2005084674.tif 000002
【特許請求の範囲】
【請求項１】
フラットパネル表示器は、
第一基板と第二基板との間にはさまれる液晶層と、
第二基板に設けられて液晶層の液晶分子の回転を制御するドライブアレイと、
第一基板に設けられてフラットパネル表示器の第一面に第一画像を、第二面に第二画像表示するための光線を照射する光源と導光板を含む光源モジュールとを含むことを特徴とするフラットパネル表示器。
【請求項２】
前記導光板には傾斜角があることを特徴とする請求項１記載のフラットパネル表示器。
【請求項３】
前記導光板が鋸歯状であることを特徴とする請求項１記載のフラットパネル表示器。
【請求項４】
前記ドライブアレイは透過領域を備え、前記光源モジュールは、更に第二導光板を備え、前記導光板の光線は透過領域を透過して第二画像を形成し、第二導光板の光線は透過領域を透過して第二画像を形成することを特徴とする請求項１記載のフラットパネル表示器。
【請求項５】
前記フラットパネル表示器は更に、光源の照射方向を変える光源モジュールスイッチ装置を含むことを特徴とする請求項４記載のフラットパネル表示器。
【請求項６】
前記第一基板は更にフィルターを備え、前記第二導光板は第二基板に形成されることを特徴とする請求項４記載のフラットパネル表示器。
【請求項７】
前記フィルターがデュアルカラーフィルターであることを特徴とする請求項６記載のフラットパネル表示器。
【請求項８】
前記フラットパネル表示器は更に、第二導光板に光線を照射する第二光源を含むことを特徴とする請求項４記載のフラットパネル表示器。
【請求項９】
前記フラットパネル表示器は更に、液晶層と第一基板との間に設けられる第一偏光、補償及び配向層と、液晶層と第二基板との間に設けられる第二偏光、補償及び配向層とを含むことを特徴とする請求項４記載のフラットパネル表示器。
【請求項１０】
前記第二導光板には傾斜角があることを特徴とする請求項４記載のフラットパネル表示器。
【請求項１１】
前記第二導光板が鋸歯状であることを特徴とする請求項４記載のフラットパネル表示器。
【請求項１２】
前記フラットパネル表示器は更に、液晶層とドライブアレイとの間に設けられる半透過膜を含み、前記導光板の光線が半透過膜を透過して第二画像を形成し、また一部は半透過膜で反射されて第一画像を形成することを特徴とする請求項１記載のフラットパネル表示器。
【請求項１３】
前記フラットパネル表示器は更に、光源の照射方向を変える光源モジュールスイッチ装置を含むことを特徴とする請求項１２記載のフラットパネル表示器。
【請求項１４】
前記第一基板が更にフィルターを備えることを特徴とする請求項１２記載のフラットパネル表示器。
【請求項１５】
前記フィルターがデュアルカラーフィルターであることを特徴とする請求項１４記載のフラットパネル表示器。
【請求項１６】
前記フラットパネル表示器が更に第二導光板を含むことを特徴とする請求項１２記載のフラットパネル表示器。
【請求項１７】
前記フラットパネル表示器は更に、第二導光板に光線を照射する第二光源を含むことを特徴とする請求項１６記載のフラットパネル表示器。
【請求項１８】
前記フラットパネル表示器は更に、液晶層と第一基板との間に設けられる偏光、補償及び配向層を含むことを特徴とする請求項１２記載のフラットパネル表示器。
【請求項１９】
前記フラットパネル表示器は更に、液晶層と半透過膜との間に設けられる配向層を含むことを特徴とする請求項１２記載のフラットパネル表示器。
【請求項２０】
前記フラットパネル表示器は更に、第二基板に設けられる偏光及び補償層を含むことを特徴とする請求項１２記載のフラットパネル表示器。
【請求項２１】
前記ドライブアレイは透過領域と反射領域を含み、前記導光板の光線は透過領域を透過して第二画像を形成し、また、一部は反射領域で反射されて第一画像を形成することを特徴とする請求項１記載のフラットパネル表示器。
【請求項２２】
前記フラットパネル表示器は更に、光源の照射方向を変える光源モジュールスイッチ装置を含むことを特徴とする請求項２１記載のフラットパネル表示器。
【請求項２３】
前記第一基板が更にフィルターを備えることを特徴とする請求項２１記載のフラットパネル表示器。
【請求項２４】
前記フィルターがデュアルカラーフィルターであることを特徴とする請求項２３記載のフラットパネル表示器。
【請求項２５】
前記フラットパネル表示器が更に第二導光板を含むことを特徴とする請求項２１記載のフラットパネル表示器。
【請求項２６】
前記フラットパネル表示器は更に、第二導光板に光線を照射する第二光源を含むことを特徴とする請求項２５記載のフラットパネル表示器。
【請求項２７】
前記フラットパネル表示器は更に、液晶層と第一基板との間に設けられる第一偏光、補償及び配向層と、液晶層と第二基板との間に設けられる第二偏光、補償及び配向層とを含むことを特徴とする請求項２１記載のフラットパネル表示器。
【請求項２８】
フラットパネル表示器は、
第一基板と第二基板との間にはさまれる液晶層と、
第二基板に設けられて液晶層の液晶分子の回転を制御するドライブアレイと、
第一基板にある第一光源と第一導光板と、第二基板にある第二導光板を含む光源モジュールとを含み、そのうち光源モジュールはフラットパネル表示器の第一面に第一画像を、第二面に第二画像表示するための光線を照射することを特徴とするフラットパネル表示器。
【請求項２９】
前記フラットパネル表示器は更に、第一導光板と第二導光板に必要な光線を照射するために第一光源の方向を切り替える光源モジュールスイッチ装置を含むことを特徴とする請求項２８記載のフラットパネル表示器。
【請求項３０】
前記光源モジュールスイッチ装置はスイッチと１枚以上の反射板を含むことを特徴とする請求項２９記載のフラットパネル表示器。
【請求項３１】
前記スイッチは蓋と接続され、蓋が閉まると、スイッチは反射板を第一方向に切り替えて第二導光板と合わせてフラットパネル表示器の第一面に第一画像を表示させ、蓋が開くと、スイッチは反射板を第二方向に切り替えて第一導光板と合わせてフラットパネル表示器の第二面に第二画像を表示させることを特徴とする請求項３０記載のフラットパネル表示器。
【請求項３２】
前記第一面と第一導光板はフラットパネル表示器の同じ側にあり、第二面と第二導光板はフラットパネル表示器の同じ側にあることを特徴とする請求項３１記載のフラットパネル表示器。
【請求項３３】
前記フラットパネル表示器が蓋に設けられることを特徴とする請求項３１記載のフラットパネル表示器。
【請求項３４】
前記フラットパネル表示器は携帯電話またはコンピューターモジュールに接続されることを特徴とする請求項３１記載のフラットパネル表示器。
【請求項３５】
前記フラットパネル表示器は、フラットパネル表示器に画像を表示させるデジタルモジュールに接続されることを特徴とする請求項３１記載のフラットパネル表示器。
【請求項３６】
前記フラットパネル表示器は更に、第二光源とスイッチとを含むことを特徴とする請求項２８記載のフラットパネル表示器。
【請求項３７】
前記第一光源は第一導光板に必要な光線を照射し、第二光源は第二導光板に必要な光線を照射することを特徴とする請求項３６記載のフラットパネル表示器。
【請求項３８】
前記スイッチは蓋と接続され、蓋が閉まると、スイッチは第一光源をつけて第一導光板に光線を照射してフラットパネル表示器の第二面に第二画像を表示させ、蓋が開くと、スイッチは第二光源をつけて第二導光板に光線を照射してフラットパネル表示器の第一面に第一画像を表示させることを特徴とする請求項３７記載のフラットパネル表示器。
【請求項３９】
前記第一面と第一導光板はフラットパネル表示器の同じ側にあり、第二面と第二導光板はフラットパネル表示器の同じ側にあることを特徴とする請求項３８記載のフラットパネル表示器。
【請求項４０】
前記フラットパネル表示器が蓋に設けられることを特徴とする請求項３８記載のフラットパネル表示器。
【請求項４１】
前記フラットパネル表示器は携帯電話またはコンピューターモジュールに接続されることを特徴とする請求項３８記載のフラットパネル表示器。
【請求項４２】
前記フラットパネル表示器は、フラットパネル表示器に画像を表示させるデジタルモジュールに接続されることを特徴とする請求項３８記載のフラットパネル表示器。
【請求項４３】
前記ドライブアレイは透過領域を具え、第一導光板の光線は透過領域を透過して第二画像を表示し、第二導光板の光線は透過領域を透過して第一画像を表示することを特徴とする請求項２８記載のフラットパネル表示器。
【請求項４４】
前記第二基板の第二導光板がある側に、更に半透過膜が設けられ、透過領域を透過した第一導光板の光線の一部は半透過膜で反射されて第一画像を表示し、透過領域を透過した第一導光板の光線一部は半透過膜を透過して第二画像を表示し、第二導光板の光線は半透過膜を透過して第一画像を表示することを特徴とする請求項４３記載のフラットパネル表示器。
【請求項４５】
前記ドライブアレイと液晶層との間に、更に半透過膜が設けられ、第一導光板の光線の一部は半透過膜を透過して第二画像を表示し、第一導光板の光線の一部は半透過膜で反射されて第一画像を表示することを特徴とする請求項２８記載のフラットパネル表示器。
【請求項４６】
前記ドライブアレイは反射領域を具え、第一導光板の光線は反射領域で反射されて第一画像を表示することを特徴とする請求項２８記載のフラットパネル表示器。
【請求項４７】
前記ドライブアレイは半透過領域を具え、第一導光板の光線の一部は半透過領域で反射されて第一画像を表示し、第一導光板の光線の一部は半透過領域を透過して第二画像を表示し、第二導光板の光線は半透過領域を透過して第一画像を表示することを特徴とする請求項２８記載のフラットパネル表示器。
【請求項４８】
前記第一導光板と第二導光板は、傾斜角のある導光板または平面鋸歯型の導光板であることを特徴とする請求項２８記載のフラットパネル表示器。
【発明の詳細な説明】
【技術分野】
【０００１】
この発明はフラットパネル表示器に関し、特に両面表示のフラットパネル表示器に関する。
【背景技術】
【０００２】
携帯電話の発展にしたがって、そのフラットパネル表示器の重要性も強調されている。使用者の習慣と時代の趨勢に応じて、両面表示機能を有する表示器が必要になっている。なお、両面表示の表示器を、ノートブック型コンピューター、タブレット型コンピューターなど、その他の電子装置に取り付けることも可能である。
しかし、従来の両面表示機能を有する表示器は２枚の表示器を接着するだけである。このような構造は材料を浪費するのみならず、２倍以上の電力を要求するという欠点もある。特に、このような構造は厚くて重いので、携帯型装置のコンパクト化に重大な支障をもたらしている。
【発明の開示】
【発明が解決しようとする課題】
【０００３】
この発明は前述の問題を解決するため、電力消費を節約できる両面表示のフラットパネル表示器を提供することを課題とする。
【課題を解決するための手段】
【０００４】
この発明によるフラットパネル表示器は、第一基板と第二基板との間にはさまれる液晶層と、第二基板に設けられて液晶層の液晶分子の回転を制御するドライブアレイと、第一基板に設けられてフラットパネル表示器の第一面に第一画像を、第二面に第二画像表示するための光線を照射する光源と導光板を含む光源モジュールとを含む。
この発明は更にフラットパネル表示器を提供する。該フラットパネル表示器は、第一基板と第二基板との間にはさまれる液晶層と、第二基板に設けられて液晶層の液晶分子の回転を制御するドライブアレイと、第一基板にある第一光源と第一導光板と、第二基板にある第二導光板を含む光源モジュールとを含む。そのうち光源モジュールはフラットパネル表示器の第一面に第一画像を、第二面に第二画像表示するための光線を照射する。
【発明の効果】
【０００５】
この発明によるフラットパネル表示器は１枚の表示器だけで両面表示することができる。したがって、この発明によるフラットパネル表示器の厚さ、重量、コストは従来の技術による表示器を下回る。なお、この発明による導光板はフィルターを載せるガラス基板に製作されるため、表示器の厚さを更に低減できる。
【発明を実施するための最良の形態】
【０００６】
かかる装置の特徴を詳述するために、具体的な実施例を挙げ、図を参照にして以下に説明する。
図１と図２はこの発明が開示するフラットパネル表示器による両面表示を表す。図１における透過型フラットパネル表示器１０は光源１２、１４と、基板１６、１８と、基板１６、１８の間にはさまれる液晶層２０とを含む。基板１６には導光板１６０２とフィルター１６０４が設けられ、基板１８にはドライブアレイ１８０２と導光板１８０４が設けられる。光源１２、１４は基板１６、１８における導光板１６０２、１８０４と合わせて２点の面光源を形成して液晶層２０に向かって照射する。光源１２による光線は基板１６における導光板１６０２を通して液晶層２０に入ってフラットパネル表示器１０の下方に画像を形成し、光源１４による光線は基板１８における導光板を通して液晶層２０に入ってフラットパネル表示器１０の上方に画像を形成する。この発明によるフラットパネル表示器は単一の光源で光線を照射することも可能である。
【０００７】
図２によれば、半透過型フラットパネル表示器３０には２点の光源３２がある。同じく、液晶層３８は基板３４、３６の間にはさまれ、基板３４には導光板３４０２とフィルター３４０４が設けられ、基板３６にはドライブアレイ３６０２と導光板３６０４が設けられる。ドライブアレイ３６０２には透過領域（図示されない）と反射領域（図示されない）が設けられ、光源３２による光線は、基板３４における導光板３４０２と合わせて面光源となって液晶層３８に進入する。そのうち一部の光線３４Ａは、基板３６にあるドライブアレイ３６０２の反射領域で反射されてフラットパネル表示器１０の上方に画像を形成し、一部の光線３４Ｂは、基板３６にあるドライブアレイ３６０２の透過領域を透過してフラットパネル表示器１０の下方に画像を形成する。基板３６にある導光板３６０４はドライブアレイ３６０２の下方に設けられ、光源３２による光線は、基板３６にある導光板３６０４を通して面光源となり、そのうち一部の光線３６Ａはドライブアレイ３６０２の透過領域を透過してフラットパネル表示器１０の上方に画像を形成する。単一光源を使用する場合は、光源３２にレフレクター４０を設けて光源３２による光線を基板３４、３６にある導光板３４０２、３６０２の方向に反射する。レフレクター４０を基板３４または基板３６に向かうように動かすことも可能である。なお、基板３６におけるドライブアレイ３６０２は半透過領域を有して上下からくる光線を一部反射して、一部を透過させ、フラットパネル表示器３０の両面に画像を表示することも可能である。更に、基板３６の下方に半透過膜を設けることも可能である。フラットパネル表示器１０、３０はＴＮ、ＳＴＮ、ＴＦＴ、ＴＦＤ、ＬＴＰＳ、電気泳動またはその他の液晶表示器であり、そのモードには、ＲＳＴＮ、ＲＴＮ、ＲＥＣＢ、ＭＴＮ、ＶＡなどがある。
【０００８】
図３と図４は、この発明による半透過型液晶表示器を表す。図３によれば、液晶表示器１００は偏光膜１０２と、補償膜１０４と、フィルター１０６と、液晶層１０８と、ドライブアレイ１１１を有する基板１１０と、補償膜１１２と、偏光膜１１４とを含む。基板１１０におけるドライブアレイ１１１は、それぞれ液晶分子１０８の回転を制御する複数のスイッチ装置（図示されない）を含む。ドライブアレイ１１１は反射領域１１０２と透過領域１１０４を有し、光線の一部は反射領域１１０２によって偏光膜１０２の外側に反射され、また、一部の光線は透過領域１１０４と偏光膜１０４を透過する。前述の導光板を偏光膜１０２、１１４の外側に取り付けることも可能である。
【０００９】
図４によれば、液晶表示器１３０は偏光膜１３２と、フィルター１３４と、液晶層１３６と、ドライブアレイ１３９を有する基板１３８と、半透過膜１４０と、偏光膜１４２とを含む。基板１３８におけるドライブアレイ１３９には透過領域１３８２しかない。光線は透過領域１３８２を通して半透過膜１４０によって一部は偏光膜１３２の外側に反射され、また一部は透過領域１３８２と偏光膜１４２を透過する。前述の導光板を偏光膜１３２、１４２の外側に取り付けることも可能である。
【００１０】
図５は、この発明が半透過型液晶表示器に応用される場合、表示パネルのドライブアレイの光学的構造を表し、図６は、この発明が半透過型液晶表示器に応用される場合、表示パネルの半透過膜の光学的構造を表し、図７は、この発明が半透過型液晶表示器に応用される場合、表示パネルのドライブアレイの光学的構造を表す。図５を参照する。図５は、図３における液晶表示器１００の基板１１０にあるドライブアレイ１１１の光学的構造を表す説明図である。基板１１０にあるドライブアレイ１１１は反射領域１１０２と透過領域１１０４を含み、光線１１０Ａは反射領域１１０２で反射され、光線１１０Ｂは透過領域１１０４を透過する。
【００１１】
図６を参照する。図６は、図４における液晶表示器１３０の基板１３８の外側にある半透過膜１４０の光学的構造を表す説明図である。基板（図示されない）の外側にある半透過膜１４０は半透過領域と同等の効能を有する。基板に金属薄膜を堆積することによって半透過膜１４０は製作される。半透過膜１４０への光線１５０Ａ、１５０Ｂは一部反射されて、一部がそれを透過する。その反射率または透過率は金属膜の厚さを調整することよって変更できる。
【００１２】
図７によれば、基板（図示されない）にあるドライブアレイ１７１は散乱型の反射領域１７０８と透過領域１７１０を含む。反射領域１７０８の散乱効果は超微細凹凸表面または鏡面反射によるものである。よって、光線１７０Ａは反射領域１７０８で散乱され、光線１７０Ｂは透過領域１７１０を透過する。反射領域１７０８が超微細凹凸表面である場合、窒化シリコン、酸化シリコン、窒酸化シリコンなどの物質からなる凹凸層１７０８２と、アルミニウム、銀などの高反射性金属または多層膜からなる反射層１７０８４とを含む。凹凸層１７０８２と反射層１７０８４は光線１７０Ａを反射する。
【００１３】
この発明によるフィルターはデュアルカラーフィルターでも可能である。デュアルカラーフィルターの反射領域と透過領域は光線の反射回数に応じて設計され、その厚さ、色度、材質もさまざまである。また、混色のフィルターも可能である。以上のいずれも従来の技術であり、ここでは説明を省略する。
【００１４】
図８から図１０はこの発明による導光板の構造を表す。図８は傾斜角のある導光板２００を表し、図９は平面鋸歯型の導光板２３０を表し、図１０はその他の平面鋸歯型の導光板２６０を表す。傾斜角のある導光板２００は、光源による光線を導光板２００に導くプリズム２０２を備える。導光板２３０、２６０は鋸歯状の散乱面があり、それぞれ鋸歯間の距離は同一であるとは限らない。
【００１５】
図１１と図１２はこの発明による光源モジュールスイッチ装置を表す。図１２における光源モジュールスイッチ装置３００はスイッチ３０２と、連接棒３０４と、レフレクター３０６とを含む。レフレクター３０６は光源３０８による光線を反射する。単一光源を使用する場合、スイッチ３０２はレフレクター３０６の方向を切り替えることによって光源３０８による光線の方向を変える。図１１における光源モジュールスイッチ装置３３０はスイッチ３３２と、光源３３８による光線を反射する反射板３３４、３３６を含む。同じく、単一光源を使用する場合、スイッチ３３２は反射板３３４、３３６の方向を切り替えることによって光源３３８による光線の方向を変える。
【００１６】
図１３と図１４は、この発明によるフラットパネル表示器が携帯電話に取り付けられた状態を表す。図１３によれば、フラットパネル表示器は導光板４００、４０２と、光源４０４と、レフレクター４０６とを含む。レフレクター４０６は光源モジュールスイッチ装置の一部であり、スイッチによって方向を変える。携帯電話を開けたら、スイッチは、レフレクター４０６が導光板４０２に向かうように切り替えて光源４０４による光線を導光板４０２に導き、フラットパネル表示器の正面４０８に画像を表示させる。
【００１７】
図１４によれば、携帯電話を閉めたら、スイッチは、レフレクター４０６が導光板４００に向かうように切り替えて光源４０４による光線を導光板４００に導き、フラットパネル表示器の背面４１０に画像を表示させる。携帯電話は、２点の光源を有することも可能である。この場合、携帯電話を開けたら、スイッチは１点の光源をオンにしてフラットパネル表示器の正面４０８に画像を表示させ、携帯電話を閉めたら、スイッチは他方の光源をオンにしてフラットパネル表示器の背面４１０に画像を表示させる。同じく、この発明によるフラットパネル表示器はノートブック型コンピューター、タブレット型コンピューターまたはその他の電子製品に応用されることも可能である。これらの電子製品では、デジタルモジュールでフラットパネル表示器を駆動する。
【００１８】
図１５は、この発明によるフラットパネル表示器の配置を表す。フラットパネル表示器５００は基板５０２と、液晶層５０４と、基板５０６と、光源５０８とを含む。基板５０２は液晶層５０４の上方にあり、導光板５０２２とフィルター５０２４とを含む。他方の基板５０６は液晶層５０４の下方にあり、ドライブアレイ５０６２と導光板５０６４とを含む。光源５０８は導光板５０２２、５０６４に光線を照射する。フラットパネル表示器５００は透過型であり、導光板５０２２、５０６４はそれぞれフィルター５０２４とドライブアレイ５０６２を載せるガラス基板に製作される。ドライブアレイ５０６２は液晶層５０４にある液晶分子の回転を制御する。フラットパネル表示器５００は更に、基板５０２と液晶層５０４との間及び液晶層５０４と基板５０６との間にある偏光、補償及び配向層５１２、５１４を含む。そのうち配向層は配向膜と吸収分子からなり（例えばOptiva社の製品）、液晶層５０４の分子の方向を配列するものである。レフレクター５１６は光源５０８を囲んで光線を反射する。レフレクター５１６は光源モジュールスイッチ装置の一部であり、スイッチによって回転して光源５０８の利用率を高める。
【００１９】
図１６は、この発明によるフラットパネル表示器の、その他の実施例の配置を表す。フラットパネル表示器６００は基板６０２と、液晶層６０４と、ドライブアレイ６０６２を有する基板６０６と、光源６０８と、半透過膜６１０とを含む。基板６０２は液晶層６０４の上方にあり、導光板６０２２とフィルター６０２４とを含む。他方の基板６０６は液晶層６０４の下方にある。光源６０８は導光板６０２２に光線を照射する。導光板６０２２はフィルター６０２４を載せるガラス基板に製作される。基板６０６にあるドライブアレイ６０６２は透過領域を有し、半透過膜６１０は液晶層６０４とドライブアレイ６０６２との間に設けられる。よって導光板６０２２からの光線は、一部半透過膜６１０で反射されてフラットパネル表示器６００の上方に画像を形成し、一部は半透過膜６１０を透過してフラットパネル表示器６００の下方に画像を形成する。フラットパネル表示器６００は更に、基板６０２と液晶層６０４との間にある偏光、補償及び配向層６１２と、液晶層６０４と半透過膜６１０との間にある配向層６１４とを含む。偏光、補償及び配向層６１２における配向層と配向層６１４は配向膜と吸収分子からなり（例えばOptiva社の製品）、液晶層６０４の分子の方向を配列するものである。フラットパネル表示器６００は単一の導光板６０２２または２枚の導光板６０２２、６０６４を有する。２枚の導光板を使用する場合、導光板６０２２、６０６４はそれぞれフィルター６０２４とドライブアレイ６０６２を載せるガラス基板に製作される。この場合、光源は１点または２点が可能である。１点の光源を使用すれば、前述の光源モジュールスイッチ装置を取り付けることによって光源の利用率が高められる。
【００２０】
以上はこの発明に好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【産業上の利用可能性】
【００２１】
この発明によるフラットパネル表示器は１枚の表示器だけで両面表示することができる。したがって、この発明によるフラットパネル表示器の厚さ、重量、コストは従来の技術による表示器を下回る。なお、この発明による導光板はフィルターを載せるガラス基板に製作されるため、表示器の厚さを更に低減できる。
【図面の簡単な説明】
【００２２】
【図１】この発明が開示する透過型フラットパネル表示器による両面表示を表す説明図である。
【図２】この発明が開示する半透過型フラットパネル表示器による両面表示を表す説明図である。
【図３】この発明による半透過型液晶表示器を表す第一説明図である。
【図４】この発明による半透過型液晶表示器を表す第二説明図である
【図５】図３におけるパネルの基板にあるドライブアレイの構造を表す第一説明図である。
【図６】図３におけるパネルの基板にあるドライブアレイの構造を表す第二説明図である。
【図７】図３におけるパネルの基板にあるドライブアレイの構造を表す第三説明図である。
【図８】傾斜角のある導光板を表す説明図である。
【図９】平面型の導光板を表す説明図である。
【図１０】鋸歯状の導光板を表す説明図である。
【図１１】光源モジュールスイッチ装置を表す第一説明図である。
【図１２】光源モジュールスイッチ装置を表す第二説明図である。
【図１３】この発明によるフラットパネル表示器が携帯電話に取り付けられた状態を表す第一説明図である。
【図１４】この発明によるフラットパネル表示器が携帯電話に取り付けられた状態を表す第二説明図である。
【図１５】この発明によるフラットパネル表示器の配置を表す説明図である。
【図１６】この発明によるフラットパネル表示器の、他の配置を表す説明図である。
【符号の説明】
【００２３】
１０、３０、５００、６００              フラットパネル表示器
１２、１４、３２、３０８、３３８、４０４、    光源
５０８、６０８
１６、１８、３４、３６、５０２、５０６、 基板
６０２
１６０２、１８０４、３４０２、３６０４、 導光板
２００、２３０、２６０、４００、４０２、
５０２２、５０６４、６０２２、６０６４
１６０４、３４０４、３６０２、１０６、  フィルター
１３４、６０２４、５０２４
１８０２、１１０、１３８、５０６２、６０６    基板
１１１、１３９、１７１、６０６２        ドライブアレイ
２０、３８、１０８、１３６、５０４、６０４    液晶層
４０                              レフレクター
１００、１３０                    液晶表示器
１０２、１１４、１３２、１４２          偏光膜
１０４、１１２                    補償膜
１１０２、１７０８                      反射領域
１１０４、１７１０、１３８２            透過領域
１７０８２                        凹凸層
１７０８４                        反射層
１１０Ａ、１１０Ｂ                      光線
１４０、６１０                    半透過膜
１５０Ａ、１５０Ｂ、１７０Ａ、１７０Ｂ  光線
２０２                            プリズム
２６２                            散乱板
３００、３３０                    光源モジュールスイッチ装置
３０２、３３２                    スイッチ
３０４                            連接棒
３０６、４０６、５１６            レフレクター
３３４、３３６                    反射板
４０８                            第一面
４１０                            第二面
５１２、５１４、６１２            偏光、補償及び配向層
６１４                            配向層
６１６                            偏光及び補償層
【図１】
2005084674.tif 000003
【図２】
2005084674.tif 000004
【図３】
2005084674.tif 000005
【図４】
2005084674.tif 000006
【図５】
2005084674.tif 000007
【図６】
2005084674.tif 000008
【図７】
2005084674.tif 000009
【図８】
2005084674.tif 000010
【図９】
2005084674.tif 000011
【図１０】
2005084674.tif 000012
【図１１】
2005084674.tif 000013
【図１２】
2005084674.tif 000014
【図１３】
2005084674.tif 000015
【図１４】
2005084674.tif 000016
【図１５】
2005084674.tif 000017
【図１６】
2005084674.tif 000018